(57)【要約】【課題】導電部材の局所的な温度上昇を抑制できる渦電流式ダンパを提供する。【解決手段】ねじ軸２及びボールナット３を用いて永久磁石６と導電部材４とを相対的に回転させることで減衰力を得る渦電流式ダンパ１は、円筒形状の磁石保持部材５と、複数の永久磁石６と、円筒形状の導電部材４と、を含む。複数の永久磁石６は、磁石保持部材５に固定され、磁石保持部材５の周方向に磁極の配置を交互に反転して配列される。導電部材４は、複数の永久磁石６と隙間を空けて対向し、複数の永久磁石６に対して相対的に回転可能である。ねじ軸２は、軸方向に変位することで、複数の永久磁石６と導電部材４とをねじ軸２の軸方向に相対的に移動させる。【選択図】図２
2020020461.tif 000002
【特許請求の範囲】
【請求項１】
ねじ軸及びボールナットを用いて永久磁石と導電部材とを相対的に回転させることで減衰力を得る渦電流式ダンパであって、
円筒形状の磁石保持部材と、
前記磁石保持部材に固定され、前記磁石保持部材の周方向に磁極の配置を交互に反転して配列された複数の永久磁石と、
前記複数の永久磁石と隙間を空けて対向し、前記複数の永久磁石に対して相対的に回転可能な円筒形状の導電部材と、を備え、
前記ねじ軸は、軸方向に変位することで、前記複数の永久磁石と前記導電部材とを前記ねじ軸の軸方向に相対的に移動させる、渦電流式ダンパ。
【請求項２】
請求項１に記載の渦電流式ダンパであって、
前記磁石保持部材は、前記ねじ軸に固定され、
前記導電部材は、前記ボールナットに固定され、
前記導電部材の内周面が、前記複数の永久磁石と対向する、渦電流式ダンパ。
【請求項３】
請求項２に記載の渦電流式ダンパであって、
前記導電部材は、前記複数の永久磁石と対向可能な領域以外の領域に複数の貫通孔を含む、渦電流式ダンパ。
【請求項４】
請求項１に記載の渦電流式ダンパであって、
前記磁石保持部材は、前記ボールナットに固定され、
前記導電部材は、前記ねじ軸に固定され、
前記導電部材の外周面が、前記複数の永久磁石と対向する、渦電流式ダンパ。
【請求項５】
請求項４に記載の渦電流式ダンパであって、
前記磁石保持部材は、前記複数の永久磁石が固定される領域以外の領域に複数の貫通孔を含む、渦電流式ダンパ。
【発明の詳細な説明】
【技術分野】
【０００１】
本発明は、渦電流式ダンパに関する。
【背景技術】
【０００２】
地震等による振動から建築物を保護するために、建築物には制振装置が取り付けられる。制振装置は建築物に与えられた運動エネルギを熱エネルギ等の他のエネルギに変換することにより、振動を減衰させる。このような制振装置としてオイル式ダンパが知られている。オイル式ダンパは、シリンダ内に充填された粘性流体の抵抗を利用して振動を減衰させる。
【０００３】
しかしながら、粘性流体の粘度は粘性流体の温度に依存するため、オイル式ダンパの減衰力は粘性流体の温度に依存する。したがって、オイル式ダンパを建築物に使用する際には、使用環境を考慮して適切な粘性流体を選択する必要がある。減衰力が温度に依存しないダンパとして、渦電流式ダンパがある。
【０００４】
渦電流式ダンパはたとえば、特公平５−８６４９６号公報（特許文献１）に開示されている。
【０００５】
特許文献１の渦電流式ダンパは、主筒に取り付けられた複数の永久磁石と、ねじ軸に接続されたヒステリシス材と、ねじ軸と噛み合うボールナットと、ボールナットに接続された副筒と、を備える。複数の永久磁石は、磁極の配置が交互に異なる。ヒステリシス材は、複数の永久磁石と対向し、相対回転可能である。この渦電流式ダンパに運動エネルギが与えられると、副筒及びボールナットが軸方向に往復移動し、ボールねじの作用によってヒステリシス材が回転する。これにより、ヒステリシス損が生じ、運動エネルギが消費される。また、ヒステリシス材に渦電流が発生するため、渦電流損により運動エネルギが消費される（減衰力が得られる）、と特許文献１には記載されている。
【先行技術文献】
【特許文献】
【０００６】
【特許文献１】特公平５−８６４９６号公報
【発明の概要】
【発明が解決しようとする課題】
【０００７】
しかしながら、特許文献１の渦電流式ダンパでは、ヒステリシス材（導電部材）の永久磁石と対向する側の表面近傍に渦電流が発生するため、この領域が集中的に加熱され、局所的に高温化する。導電部材の温度が局所的に高温化すれば、導電部材自体及びその周辺部品の強度等に悪影響を与える可能性がある。また、局所的に高温化した導電部材の熱が永久磁石に伝達されることで、永久磁石が減磁し、渦電流式ダンパの減衰力が低下する可能性がある。
【０００８】
本発明の目的は、導電部材の局所的な温度上昇を抑制できる渦電流式ダンパを提供することである。
【課題を解決するための手段】
【０００９】
本発明の渦電流式ダンパは、ねじ軸及びボールナットを用いて永久磁石と導電部材とを相対的に回転させることで減衰力を得る。渦電流式ダンパは、円筒形状の磁石保持部材と、複数の永久磁石と、円筒形状の導電部材と、を含む。複数の永久磁石は、磁石保持部材に固定され、磁石保持部材の周方向に磁極の配置を交互に反転して配列される。導電部材は、複数の永久磁石と隙間を空けて対向し、複数の永久磁石に対して相対的に回転可能である。ねじ軸は、軸方向に変位することで、複数の永久磁石と導電部材とをねじ軸の軸方向に相対的に移動させる。
【発明の効果】
【００１０】
本発明の渦電流式ダンパによれば、導電部材の局所的な温度上昇を抑制できる。
【図面の簡単な説明】
【００１１】
【図１】図１は、第１実施形態の渦電流式ダンパの軸方向に沿った面での断面図である。
【図２】図２は、図１の一部拡大図である。
【図３】図３は、図２中のＩＩＩ−ＩＩＩ線での断面図である。
【図４】図４は、図３の一部拡大図である。
【図５】図５は、第１実施形態の渦電流式ダンパにおいて、ねじ軸がストローク端位置にある場合の断面図である。
【図６】図６は、第２実施形態の渦電流式ダンパの軸方向に沿った面での断面図である。
【図７】図７は、第２実施形態の渦電流式ダンパの導電部材の斜視図である。
【図８】図８は、第２実施形態の渦電流式ダンパにおいて、ねじ軸がストローク端位置にある場合の断面図である。
【図９】図９は、第３実施形態の渦電流式ダンパの軸方向に沿った面での断面図である。
【図１０】図１０は、第４実施形態の渦電流式ダンパの軸方向に沿った面での断面図である。
【発明を実施するための形態】
【００１２】
（１）本実施形態の渦電流式ダンパは、ねじ軸及びボールナットを用いて永久磁石と導電部材とを相対的に回転させることで減衰力を得る。渦電流式ダンパは、円筒形状の磁石保持部材と、複数の永久磁石と、円筒形状の導電部材と、を含む。複数の永久磁石は、磁石保持部材に固定され、磁石保持部材の周方向に磁極の配置を交互に反転して配列される。導電部材は、複数の永久磁石と隙間を空けて対向し、複数の永久磁石に対して相対的に回転可能である。ねじ軸は、軸方向に変位することで、複数の永久磁石と導電部材とをねじ軸の軸方向に相対的に移動させる。
【００１３】
このような（１）の渦電流式ダンパに振動が加われば、ねじ軸が軸方向に往復運動する。このねじ軸の往復運動を利用して永久磁石と、永久磁石に対向する導電部材とを軸方向に相対的に移動させると、導電部材の永久磁石と対向する領域も軸方向に移動する。これにより、導電部材の特定の場所に集中して渦電流が発生することがなく、導電部材が局所的に高温になることが抑制される。
【００１４】
（２）上記（１）の渦電流式ダンパにおいて、磁石保持部材は、ねじ軸に固定され、導電部材は、ボールナットに固定され、導電部材の内周面が、複数の永久磁石と対向するのが好ましい。
【００１５】
このような（２）の渦電流式ダンパでは、磁石保持部材がねじ軸とともに往復運動することで永久磁石と導電部材とが軸方向に相対的に移動する。また、永久磁石が導電部材の内部に設けられ、導電部材が回転することで永久磁石と導電部材とが相対的に回転する。発熱する導電部材が回転するため、導電部材が空冷され、導電部材の温度上昇がさらに抑制される。
【００１６】
（３）上記（２）の渦電流式ダンパにおいて、導電部材は、複数の永久磁石と対向可能な領域以外の領域に複数の貫通孔を含むのが好ましい。
【００１７】
このような（３）の渦電流式ダンパでは、貫通孔は導電部材の永久磁石と対向する領域（渦電流が発生する領域）に設けられないため、渦電流式ダンパとしての減衰力は保たれる。一方、導電部材の永久磁石と対向しない領域に貫通孔が設けられるため、導電部材の内部と外部とを通気させることができる。導電部材の内部と外部とを通気させることで、導電部材の温度上昇がさらに抑制される。
【００１８】
（４）上記（１）の渦電流式ダンパにおいて、磁石保持部材は、ボールナットに固定され、導電部材は、ねじ軸に固定され、導電部材の外周面が、複数の永久磁石と対向するのが好ましい。
【００１９】
このような（４）の渦電流式ダンパでは、導電部材がねじ軸とともに往復運動することで永久磁石と導電部材とが軸方向に相対的に移動する。また、導電部材が磁石保持部材の内部に設けられ、磁石保持部材（永久磁石）が回転することで永久磁石と導電部材とが相対的に回転する。
【００２０】
（５）上記（４）の渦電流式ダンパにおいて、磁石保持部材は、複数の永久磁石が固定される領域以外の領域に複数の貫通孔を含むのが好ましい。
【００２１】
このような（５）の渦電流式ダンパでは、磁石保持部材に貫通孔が設けられるため、磁石保持部材の内部と外部とを通気させることができる。磁石保持部材の内部と外部とを通気させることで、磁石保持部材の内部に設けられた導電部材の温度上昇がさらに抑制される。
【００２２】
以下、図面を参照して、本発明の実施の形態を詳しく説明する。図中同一又は相当部分には同一符号を付してその説明は繰り返さない。
【００２３】
［第１実施形態］
図１は、第１実施形態の渦電流式ダンパの軸方向に沿った面での断面図である。渦電流式ダンパ１は、磁石保持部材５と、複数の永久磁石６と、導電部材４と、を含む。渦電流式ダンパ１は、ねじ軸２及びボールナット３を用いて永久磁石６と導電部材４とを相対的に回転させることで減衰力を得る。なお、本明細書において「軸方向」とはねじ軸２の軸方向を意味する。
【００２４】
［ねじ軸］
ねじ軸２は、直線状に延びる部材であり、建物に取り付けられた取付具２１に固定される。建物が揺れるとその振動は、取付具２１を介してねじ軸２に伝達され、ねじ軸２が軸方向に変位し、振動に同期して往復運動（ストローク）する。図１では、ねじ軸２がストローク中央位置にある状態を示す。ストローク中央位置とは、ねじ軸２の軸方向に沿った往復移動範囲の中央を意味する。渦電流式ダンパ１は、ねじ軸２をストローク中央位置にして、建物に取り付けられる。ねじ軸２の外周面にはねじ部が形成されている。
【００２５】
［ボールナット］
ボールナット３は、ねじ軸２とボールねじを構成する。ボールナット３は、貫通孔と、フランジ部とを含む。貫通孔にはねじ軸２が通され、貫通孔の内周面には、ねじ軸２のねじ部と噛み合うねじ部が形成されている。そのため、ねじ軸２が軸方向に変位するとボールナット３は回転する。すなわち、ボールナット３はねじ軸２の並進運動を回転運動に変換する。フランジ部は、軸方向から見て、中空の円板形状である。
【００２６】
［磁石保持部材］
図２は、図１の一部拡大図である。磁石保持部材５は、内周面及び外周面を含む円筒形状である。磁石保持部材５の内周面は、ねじ軸２に固定される。したがって、ねじ軸２が軸方向にストロークすると、磁石保持部材５もストロークする。磁石保持部材５のねじ軸２への固定方法は、溶接でもよいし、取付部材を介して取り付けてもよく、特に限定されない。
【００２７】
磁石保持部材５は、複数の永久磁石６を保持する。磁石保持部材５の材質は炭素鋼、鋳鉄等の磁性体であるのが好ましい。この場合、磁石保持部材５はヨークとしての役割を果たし、永久磁石６からの磁束が外部に漏れることを抑制する。
【００２８】
［永久磁石］
図３は、図２中のＩＩＩ−ＩＩＩ線での断面図である。複数の永久磁石６は、磁石保持部材５の外周面に固定される。複数の永久磁石６は、磁石保持部材５の円周方向に配列され、隣接する２つの永久磁石６の間には隙間が設けられる。
【００２９】
図４は、図３の一部拡大図である。複数の永久磁石６は、磁石保持部材５の円周方向に磁極の配置を交互に反転して配列される。別の言葉で言えば、磁石保持部材５の円周方向において隣接する永久磁石６同士は互いに磁極の配置が反転する。なお、図４では、永久磁石６の磁極の配置が磁石保持部材５の径方向である場合を示すが、磁極の配置はこれに限られず、磁石保持部材５の軸方向（すなわちねじ軸の軸方向）であってもよい。
【００３０】
［導電部材］
図２を参照して、導電部材４は、内周面及び外周面を含み、軸方向に延びる円筒形状である。導電部材４の軸方向の長さは、永久磁石６の軸方向への往復移動距離よりも長い。導電部材４の内部（円筒の内部空間）にはボールナット３の一部、ねじ軸２の一部、磁石保持部材５及び永久磁石６が収容される。導電部材４の内部にボールナット３等を収容することで渦電流式ダンパ１を小型にすることができる。
【００３１】
導電部材４の一方の端部は、ボールナット３のフランジ部に固定される。したがって、ボールナット３が回転すると、それに伴って導電部材４も回転する。導電部材４の他方の端部は、スラスト軸受１１を介して建物に取り付けられた取付具２２に固定される。したがって、導電部材４が回転しても取付具２２は回転しない。なお、導電部材４の他方の端部は、ラジアル軸受１４を介して支持部材１３に支持されている。
【００３２】
導電部材４の内周面は、複数の永久磁石６と隙間を空けて対向する。「対向する」とは、対象とする部材のみを磁石保持部材５の径方向に投影したときに両者が重複することを意味する。隙間の大きさは、永久磁石６からの磁束を導電部材４に効率的に到達させるため、可能な限り小さいほうが好ましい。また、各永久磁石６と導電部材４の内周面との距離は一定であるのが好ましい。
【００３３】
導電部材４の材質は、永久磁石６が形成する磁場によって渦電流を発生させるため、鋼等の導電性を有する材料である。
【００３４】
この他にも、渦電流式ダンパ１は、導電部材４等を保護するカバー１２を含んでもよい。カバー１２は、円筒形状であり、導電部材４、ボールナット３及びねじ軸２の一部を内部に収容する。カバー１２の一方の端は、スラスト軸受１１及びラジアル軸受１４を介してボールナット３に固定される。また、カバー１２の他方の端は、建物に固定された取付具２２に固定される。
【００３５】
このような構成の第１実施形態の渦電流式ダンパ１に振動が加えられ、導電部材４が回転すると、導電部材４の内周面を通過する磁束が変化し、これにより導電部材４に渦電流が発生する。渦電流が発生すると、新たな磁束（反磁界）が生じる。この反磁界は、導電部材４の回転を妨げる（すなわちボールナット３の回転を妨げる）。ボールナット３の回転が妨げられると、ねじ軸２の軸方向への運動も妨げられ、振動が減衰する。これが渦電流による減衰力となる。
【００３６】
一方で、導電部材４に渦電流が発生すると、ジュール熱により導電部材４の温度が上昇する。仮に、永久磁石６の軸方向の位置が導電部材４に対して相対的に移動しなければ、渦電流は導電部材４の永久磁石６と対向する特定の領域に集中的に発生するため、この領域が局所的に高温になりやすい。導電部材４が局所的に高温になれば、導電部材４自体及びその周辺部品の強度等に悪影響を与える可能性がある。また、局所的に高温化した導電部材４の熱が永久磁石６に伝達されることで、永久磁石６が減磁し、渦電流式ダンパの減衰力が低下する可能性がある。
【００３７】
しかしながら、第１実施形態の渦電流式ダンパ１によれば、永久磁石６の軸方向の位置が導電部材４に対して相対的に移動するため、導電部材４の局所的な温度上昇を抑制できる。以下、この点について詳述する。
【００３８】
［導電部材の局所的な温度上昇の抑制］
図２を参照して、ねじ軸２がストローク中央位置にある状態で、渦電流式ダンパ１に振動が加えられると、ねじ軸２がストローク中央位置からストローク端位置に向かって移動する。ストローク端位置とは、ねじ軸２の軸方向の往復移動範囲の端を意味する。
【００３９】
図５は、第１実施形態の渦電流式ダンパにおいて、ねじ軸がストローク端位置にある場合の断面図である。ねじ軸２（すなわち永久磁石６）が軸方向に移動すれば、導電部材４は軸方向に移動しないため、導電部材４の永久磁石６と対向する領域も移動する。つまり、第１実施形態の渦電流式ダンパ１では、渦電流は導電部材４のある特定の領域だけで発生し続けるわけではなく、ねじ軸２のストロークに伴って渦電流の発生領域が軸方向に移動する。そのため、渦電流の発生領域が軸方向に移動しない渦電流式ダンパに比べて、渦電流による発熱量を導電部材４の広範囲に分散させることができ、導電部材４が局所的に温度上昇することが抑制される。
【００４０】
導電部材４の局所的な温度上昇が抑制されることは、導電部材４の最高温度が低くなることを意味する。導電部材４の最高温度が低くなれば、導電部材４からの輻射熱の影響が弱くなるため、輻射熱による永久磁石６の温度上昇も抑制される。
【００４１】
また、第１実施形態の渦電流式ダンパ１では、発熱する導電部材４自身が回転するため、導電部材４を直接空冷することができる。これにより、導電部材４の温度上昇をさらに抑制することができる。
【００４２】
以上、第１実施形態の渦電流式ダンパについて説明した。しかしながら、本発明の渦電流式ダンパはこれに限定されず、以下のような実施形態とすることもできる。
【００４３】
［第２実施形態］
図６は、第２実施形態の渦電流式ダンパの軸方向に沿った面での断面図である。第２実施形態の渦電流式ダンパ１は、導電部材４に貫通孔７が設けられる点で第１実施形態と相違する。以下の説明では、第１実施形態と異なる点についてのみ説明し、第１実施形態と同じ構成については説明を省略する。
【００４４】
［貫通孔］
図７は、第２実施形態の渦電流式ダンパの導電部材の斜視図である。導電部材４は、第１貫通孔列１５と、第２貫通孔列１６とを含む。
【００４５】
第１貫通孔列１５は、導電部材４の周方向に配列された複数の貫通孔７から構成される。貫通孔７は、導電部材４の径方向に沿って導電部材４を貫通する。
【００４６】
図６を参照して、貫通孔７は、導電部材４内部と導電部材４外部とを通気させる。そのため、ねじ軸２がストロークすることにより、導電部材４内部の空気を撹拌することができ、導電部材４の温度上昇を抑制することができる。
【００４７】
また、第２実施形態の渦電流式ダンパでも、第１実施形態と同様に、発熱する導電部材４自身が回転するため、導電部材４を直接空冷することができる。これにより、導電部材４の温度上昇をさらに抑制することができる。
【００４８】
図７を参照して、貫通孔７の形状は、多角形、円形、楕円形等であり、その形状は特に限定されない。
【００４９】
貫通孔７は、導電部材４の周方向に沿って等間隔に配置されるのが好ましい。貫通孔７が等間隔に配置されれば、導電部材４内部の空気が均一に撹拌されやすい。したがって、周方向に均一に導電部材４の温度上昇を抑制することができる。
【００５０】
なお、図７では、第１貫通孔列１５の貫通孔７と第２貫通孔列１６の貫通孔７とが導電部材４の周方向において同位相に設けられる場合を示すが、第１貫通孔列１５の貫通孔７と第２貫通孔列１６の貫通孔７とは同位相でなくてもよい。
【００５１】
続いて、第１貫通孔列１５及び第２貫通孔列１６の配置について説明する。
【００５２】
図８は、第２実施形態の渦電流式ダンパにおいて、ねじ軸がストローク端位置にある場合の断面図である。導電部材４の永久磁石６と対向可能な領域Ａは、渦電流が生じる領域であるので、軸方向及び導電部材の周方向全域において導電部材４が存在していることが望ましい。そのため、第２実施形態の渦電流式ダンパ１では、貫通孔７は導電部材の永久磁石と対向可能な領域Ａには設けられない。
【００５３】
一方、導電部材の永久磁石と対向可能な領域Ａの軸方向の両側の領域は、永久磁石６の往復移動範囲外であるため、永久磁石６と対向不可能である。そのため、この領域では渦電流は発生しないか、又は発生しても弱い渦電流であり、渦電流式ダンパの減衰力に大きく影響しない。そこで、第２実施形態の渦電流式ダンパでは、導電部材の永久磁石と対向可能な領域Ａ以外の領域に第１貫通孔列１５及び第２貫通孔列１６を設ける。
【００５４】
より具体的には、導電部材の永久磁石と対向可能な領域Ａ以外の領域は、導電部材の永久磁石と対向可能な領域Ａの軸方向の両側に設けられる。そのうちの一方に第１貫通孔列１５が設けられ、他方に第２貫通孔列１６が設けられる。
【００５５】
［磁石保持部材］
円筒形状の磁石保持部材５は、２つの端面２３を含むのが好ましい。２つの端面２３は、軸方向からみて中空の平坦な円板形状であり、軸方向に垂直な断面で見て磁石保持部材５の径方向に沿っている。
【００５６】
このような構成によれば、磁石保持部材５が変位すると、導電部材４内部の空気が磁石保持部材５の端面２３によって圧縮され、貫通孔７から放出されやすい。たとえば、図６を参照して、磁石保持部材５が図６中の左側に変位したとする。すると、磁石保持部材５の進行方向にある導電部材４内部の空気が圧縮され、第１貫通孔列１５の貫通孔７から流出する。その一方で、磁石保持部材５の進行方向逆側（右側）にある導電部材４内部には第２貫通孔列１６の貫通孔７を通して導電部材４外部から空気が流入する。
【００５７】
これにより、軸方向の両側で導電部材４の内部と外部とが通気することができ、導電部材４の軸方向の一方の端部だけでなく他方の端部の温度上昇も抑制される。なお、磁石保持部材５が図６中の右側に変位する場合は、上述の説明の逆となる。
【００５８】
続いて、第３実施形態の渦電流式ダンパについて説明する。
【００５９】
［第３実施形態］
図９は、第３実施形態の渦電流式ダンパの軸方向に沿った面での断面図である。第３実施形態の渦電流式ダンパ１は、磁石保持部材５が導電部材４の外側に配置され、回転する点で第１実施形態と相違する。以下の説明では、第１実施形態と異なる点についてのみ説明し、第１実施形態と同じ構成については説明を省略する。
【００６０】
［磁石保持部材］
磁石保持部材５は、内周面及び外周面を含み、軸方向に延びる円筒形状である。磁石保持部材５の内部（円筒の内部空間）にはボールナット３の一部、ねじ軸２の一部、導電部材４及び永久磁石６が収容される。磁石保持部材５の内部にボールナット３等を収容することで渦電流式ダンパを小型にすることができる。
【００６１】
磁石保持部材５の一方の端部は、ボールナット３のフランジ部に固定される。したがって、ボールナット３が回転すると、それに伴って磁石保持部材５も回転する。磁石保持部材５の他方の端部は、スラスト軸受１１を介して建物に取り付けられた取付具２２に固定される。したがって、磁石保持部材５が回転しても取付具２２は回転しない。
【００６２】
［永久磁石］
複数の永久磁石６は、磁石保持部材５の内周面に固定される。
【００６３】
［導電部材］
導電部材４は、内周面及び外周面を含む円筒形状である。導電部材４の内周面は、ねじ軸２に固定される。したがって、ねじ軸２が軸方向にストロークすると、導電部材４もストロークする。導電部材４の外周面は、複数の永久磁石６と隙間を空けて対向する。
【００６４】
このような構成の第３実施形態の渦電流式ダンパに振動が加われば、導電部材４が軸方向にストロークする。すなわち、導電部材４と永久磁石６とが軸方向に相対的に移動する。したがって、第１実施形態と同様に、渦電流による発熱量を導電部材４の広範囲に分散させることができ、導電部材４が局所的に温度上昇することが抑制される。
【００６５】
［第４実施形態］
図１０は、第４実施形態の渦電流式ダンパの軸方向に沿った面での断面図である。第４実施形態の渦電流式ダンパ１は、磁石保持部材５に貫通孔７が設けられる点で第３実施形態と相違する。以下の説明では、第３実施形態と異なる点についてのみ説明し、第３実施形態と同じ構成については説明を省略する。
【００６６】
第４実施形態の渦電流式ダンパでは、導電部材４に貫通孔７が設けられる第２実施形態の渦電流式ダンパの導電部材４と磁石保持部材５とが入れ替わった構成となっている。したがって、以下に第４実施形態の渦電流式ダンパの磁石保持部材について説明するが、その形状は図７に示す第２実施形態の渦電流式ダンパの導電部材と同様である。
【００６７】
［磁石保持部材］
図１０を参照して、磁石保持部材５は、第１貫通孔列１５と、第２貫通孔列１６とを含む。
【００６８】
貫通孔７は、磁石保持部材５の径方向に沿って磁石保持部材５を貫通する。貫通孔７は、磁石保持部材５内部と磁石保持部材５外部とを通気させる。そのため、ねじ軸２がストロークすることにより、磁石保持部材５内部の空気を撹拌することができ、導電部材４の温度上昇を抑制することができる。
【００６９】
第４実施形態の渦電流式ダンパでは、貫通孔７は磁石保持部材の永久磁石が設けられる領域Ｂには設けられない。第１貫通孔列１５及び第２貫通孔列１６は、磁石保持部材の永久磁石が設けられる領域以外の領域に設けられる。
【００７０】
より具体的には、磁石保持部材の永久磁石が設けられる領域Ｂ以外の領域は、磁石保持部材の永久磁石が設けられる領域Ｂの軸方向の両側に設けられる。そのうちの一方に第１貫通孔列１５が設けられ、他方に第２貫通孔列１６が設けられる。
【００７１】
これにより、軸方向の両側で磁石保持部材５の内部と外部とが通気することができ、導電部材４の軸方向の一方の端部だけでなく他方の端部も温度上昇が抑制される。
【００７２】
以上、本実施形態の渦電流式ダンパについて説明した。その他、本発明は上記の実施形態に限定されず、本発明の趣旨を逸脱しない範囲で、種々の変更が可能であることは言うまでもない。
【産業上の利用可能性】
【００７３】
本発明の渦電流式ダンパは、建造物の制振装置及び免震装置に有用である。
【符号の説明】
【００７４】
１：渦電流式ダンパ
２：ねじ軸
３：ボールナット
４：導電部材
５：磁石保持部材
６：永久磁石
７：貫通孔
１１：スラスト軸受
１２：カバー
１３：支持部材
１４：ラジアル軸受
１５：第１貫通孔列
１６：第２貫通孔列
２１：取付具
２２：取付具
２３：磁石保持部材の端面
Ａ：導電部材の永久磁石と対向する領域
Ｂ：磁石保持部材の永久磁石が設けられる領域
【図１】
2020020461.tif 000003
【図２】
2020020461.tif 000004
【図３】
2020020461.tif 000005
【図４】
2020020461.tif 000006
【図５】
2020020461.tif 000007
【図６】
2020020461.tif 000008
【図７】
2020020461.tif 000009
【図８】
2020020461.tif 000010
【図９】
2020020461.tif 000011
【図１０】
2020020461.tif 000012